(57)【特許請求の範囲】
【請求項１】
ＡＴＭセルを用いた帯域割り当て制御により局と複数の加入者間を光伝送路を介してポイント・ツー・マルチポイントでアクセスするＡＴＭ光アクセスネットワークにおいて、前記局側装置と加入者側装置間でサポートしているコネクションの総帯域に関する伝送品質試験のみを条件とし、前記局側装置と各加入者側装置とのコネクション毎に、前記加入者側装置で入力セルの全てに対し、それぞれ伝送品質試験を行うことを特徴とするＡＴＭ光アクセスネットワークにおける伝送品質測定方法。
【請求項２】
前記局側装置で行なわれる伝送品質試験は、セルを受信し、該受信セルに基づいて加入者側装置情報を引き出し、引き出した加入者情報に基づいて内蔵するメモリから伝送品質試験情報を読み出し、該伝送品質試験情報をもとに前記受信セルの伝送品質試験を行うことを特徴とする請求項１に記載のＡＴＭ光アクセスネットワークにおける伝送品質測定方法。
【請求項３】
前記加入者側装置で行なわれる伝送品質試験は、セルを受信し、受信セルに基づいて伝送品質試験情報を内蔵するメモリから読み出し、前記受信セルの伝送品質試験を行うことを特徴とする請求項１に記載のＡＴＭ光アクセスネットワークにおける伝送品質測定方法。
【請求項４】
局と複数の加入者間を光伝送路を介して接続し、１加入者装置あたりのサポートコネクションがＮ種、光分岐する数がＭ種であるＡＴＭ光アクセスネットワークにおいて、前記局側装置にあって、伝送品質の試験を行う試験装置は、Ｎ×Ｍのコネクションのセルを入力として受信し、Ｍ種の加入者情報のうちの一つを抽出してＮ×Ｍコネクションのセルを出力するセル情報抽出部と、該セル情報抽出部から得られる加入者装置情報をもとに挿入処理用メモリから伝送品質情報を読み出し、該セルに対して伝送品質試験処理を行う伝送品質挿入処理部から成り、前記加入者側装置にあって伝送品質の試験を行う試験装置は、Ｎコネクションのセルを入力として受信し、伝送品質試験をおこなうための情報を内蔵する抽出処理用メモリから読み出し、該セルに対し、伝送品質試験を行いＮコネクションのセルを出力する伝送品質抽出処理部から成ることを特徴とするＡＴＭ光アクセスネットワークにおける伝送品質測定装置。
【発明の詳細な説明】
【０００１】
【発明の属する技術分野】
本発明は、ＡＴＭ光アクセスネットワーク（ＰＯＮ）における伝送品質測定方法ならびに装置に関する。
【０００２】
【従来の技術】
光アクセスネットワークの一形態にＰＯＮ（Ｐａｓｓｉｖｅ  Ｏｐｔｉｃａｌ  Ｎｅｔｗｏｒｋ）方式がある。このＰＯＮ方式は、局側にあるＯＬＴ（Ｏｐｔｉｃａｌ  Ｌｉｎｅ  Ｔｅｒｍｉｎａｌ）と加入者側にあるＯＮＵ（Ｏｐｔｉｃａｌ  Ｎｅｔｗｏｒｋ  Ｕｎｉｔ）の間に光カップラ等の光受動素子のみでアクセス網を構築することからパッシブ・オプティカル・ネットワークと呼ばれる。このＰＯＮ方式は、ＰＤＳ（Ｐａｓｓｉｖｅ  Ｄｏｕｂｌｅ  Ｓｔａｒ）方式と基本構成は同じであるが、局と複数の加入者間をポイントツーマルチポイントにアクセスすることが可能なことから、局側装置のコスト低減に寄与する加入者多重を実現する。
図５に、局側装置５１に光伝送路５３を介して加入者装置５２が分岐接続され、フレームを構成するセルをＡＴＭ（非同期転送モード）で伝送する、ＡＴＭ−ＰＯＮ通信系が示されている。このＡＴＭ−ＰＯＮ通信系では、局側装置５１と複数（ＭＡＸ３２分岐）の加入者側装置５２間の伝送品質を測定する伝送品質試験が存在する。ここでいう伝送品質試験とは、局側装置５１と加入者側装置間５２でサポートする全てのコネクションに対し実施される試験である。
図６に示すように、ＡＴＭ−ＰＯＮ通信系では、加入者装置５２を複数接続することから、一加入者装置あたりのサポートコネクションをＮ種、光分岐する数をＭ種（Ｍ≦３２，Ｎ＞Ｍ）とすれば、局側装置５１が持つ試験装置５４では、（Ｎ×Ｍ）種のコネクションに対する伝送品質試験を実施し、加入者側装置５２が持つ試験装置５５では、Ｎ種のコネクションに対し伝送品質試験を実施することになる。この伝送品質試験において、コネクションに対するＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）機能は、ユーザセル（試験対象ユーザセル５６、試験対象外ユーザセル５８）のそれぞれに対しオーバヘッド情報（ＯＡＭセル５７）を付加することで実現される。
【０００３】
【発明が解決しようとする課題】
ところで、上述した従来例によれば、サポートコネクションが一つ増えると、それに伴ない、局側装置５１と加入者側装置５２の伝送品質試験のために使用されるメモリ規模が増え、更に周辺ハードウェア規模も増大するという欠点があった。
一方、局側装置５１と加入者装置５２間でサポートしているコネクションの総帯域に関する伝送品質試験のみをサポートすることを条件とした場合、局側装置５１で実施される伝送品質試験のコネクションは（Ｎ×Ｍ）種のコネクションであるが、加入者装置単位（Ｍ種）に伝送品質試験を実施することと等価である。また、加入者側装置で実施される伝送品質試験のコネクションはＮ種であるが、入力コネクションをひとまとめ（１種）に伝送品質試験を実施することと等価である。
本発明は上記事情に鑑みてなされたものであり、ＡＴＭ−ＰＯＮ通信系において、局側装置と加入者側装置間でサポートしているコネクションの総帯域に関する伝送品質試験のみをサポートすることを条件とし、局側装置では加入者側装置に出力されるコネクション毎に、加入者側装置では入力セル全てに対し伝送品質試験を実施することにより、局側装置の伝送品質試験のハードウェア規模と加入者側装置の伝送品質試験のハードウェア規模の削減をはかることのできる、ＡＴＭ光アクセスネットワークにおける伝送品質測定方法ならびに装置を提供することを目的とする。
【０００４】
【課題を解決するための手段】
上述した課題を解決するために請求項１に記載のＡＴＭ光アクセスネットワークにおける伝送品質測定方法は、ＡＴＭセルを用いた帯域割り当て制御により局と複数の加入者間を光伝送路を介してポイント・ツー・マルチポイントでアクセスするＡＴＭ光アクセスネットワークにおいて、前記局側装置と加入者側装置間でサポートしているコネクションの総帯域に関する伝送品質試験のみを条件とし、前記局側装置と各加入者側装置とのコネクション毎、前記加入者側装置で入力セルの全てに対し、それぞれ伝送品質試験を行うことを特徴とする。また、請求項２に記載のＡＴＭ光アクセスネットワークにおける伝送品質測定方法は、請求項１に記載の伝送品質測定方法において、局側装置で行なわれる伝送品質試験は、セルを受信し、該受信セルに基づいて加入者装置情報を引き出し、引き出した加入者情報に基づいて内蔵するメモリから伝送品質試験情報を読み出し、該伝送品質試験情報をもとに前記受信セルの伝送品質試験を行うことを特徴とする。更に請求項３に記載のＡＴＭ光アクセスネットワークにおける伝送品質測定方法は、請求項１に記載の伝送品質測定方法において、加入者側装置で行なわれる伝送品質試験は、セルを受信し、受信セルに基づいて伝送品質試験情報を内蔵するメモリから読み出し、前記受信セルの伝送品質試験を行うことを特徴とする。
【０００５】
請求項４に記載のＡＴＭ光アクセスネットワークにおける伝送品質測定装置は、局と複数の加入者間を光伝送路を介して接続し、１加入者装置あたりのサポートコネクションがＮ種、光分岐する数がＭ種であるＡＴＭ光アクセスネットワークにおいて、前記局側装置にあって、伝送品質の試験を行う試験装置は、Ｎ×Ｍのコネクションのセルを入力として受信し、Ｍ種の加入者情報のうちの一つを抽出してＮ×Ｍコネクションのセルを出力するセル情報抽出部と、該セル情報抽出部から得られる加入者装置情報をもとに挿入処理用メモリから伝送品質情報を読み出し、該セルに対して伝送品質試験処理を行う伝送品質挿入処理部から成り、前記加入者側装置にあって伝送品質の試験を行う試験装置は、Ｎコネクションのセルを入力として受信し、伝送品質試験をおこなうための情報を内蔵する抽出処理用メモリから読み出し、該セルに対し、伝送品質試験を行いＮコネクションのセルを出力する伝送品質抽出処理部から成ることを特徴とする。
【０００６】
本発明は、局側装置と加入者側装置間でサポートしているコネクションの総帯域に関する伝送品質試験のみをサポートするシステムを条件とした場合、局試験装置で実施される伝送品質試験のコネクションは（Ｎ×Ｍ）種のコネクションであるが、加入者装置単位（Ｍ種）に伝送品質試験を実施することと等価であること、また、加入者試験装置で実施される伝送品質試験のコネクションはＮ種であるが、入力コネクションをひとまとめ（１種）に伝送品質試験を実施することと等価であることに着目し、局側装置においてＭ種の加入者装置単位に伝送品質の試験を実施し、加入者側装置においてＮ種の入力コネクションをひとまとめに伝送品質試験を実施することで、それぞれ、メモリに格納すべきデータの種類を（Ｎ×Ｍ）種からＭに、Ｎ種必要であったメモリ格納情報を１種に削減でき、また、周辺ハードウェアの削減も可能とするものである。
【０００７】
【発明の実施の形態】
図１、図２は本発明の実施形態を示すブロック図であり、それぞれ、局側装置が持つ試験装置（以下、局試験装置４と称す）、加入者側装置が持つ試験装置（以下、加入者試験装置５と称す）の内部構成を示す。
図１において、局試験装置４は、局側セル情報抽出部９、伝送品質挿入処理部１０、挿入処理用メモリ１１を含む。図２において、加入者試験装置５は、伝送品質抽出処理部１２、抽出処理用メモリ１３を含む。
【０００８】
局側セル情報抽出部９は、（Ｎ×Ｍ）コネクションのセルが入力され、Ｍ種のうちの一つの加入者装置情報を抽出し、（Ｎ×Ｍ）コネクションのセルを出力する。伝送品質挿入処理部１０は、前記局側セル情報抽出部９から出力されるＭ種の加入者装置情報をもとに、挿入処理用メモリ１１から伝送品質試験情報を読み出し、管理情報に基づき前記セルに対して伝送品質試験処理を行い、（Ｎ×Ｍ）コネクションのセルを出力する。
伝送品質抽出処理部１２は、Ｎコネクションのセルが入力され、伝送品質試験を実施するための情報を抽出処理用メモリ１３から読み出し、管理情報に基づいて入力セルに対して伝送品質試験処理を行う。
【０００９】
図３、図４は本発明実施形態の動作を説明するために引用した図であり、それぞれ、局試験装置４、加入者試験装置５でセルを受信した以降の伝送品質試験処理の手順がフローチャートで示されている。
動作説明に先立ち、局側装置と加入者装置間でサポートしているコネクションの総帯域に関する伝送品質試験のみをサポートするシステムを条件とした場合、局試験装置４で実施される伝送品質試験のコネクションは（Ｎ×Ｍ）種のコネクションであるが、加入者装置単位（Ｍ種）に伝送品質試験を実施することと等価であること、また、加入者試験装置５で実施される伝送品質試験のコネクションはＮ種であるが、入力コネクションをひとまとめ（１種）に伝送品質試験を実施することと等価であることは上述したとおりである。
【００１０】
本発明はこのことを利用したものであり、以下、図１、図２に示す本発明実施形態の動作につき、図３、図４に示すフローチャートを参照しながら説明する。
まず、局試験装置４が持つ局側セル情報抽出部９でセルを受信した場合（ステップＡ１）、受信セルから加入者装置情報を引き出し（ステップＡ２）、引き出した情報を伝送品質挿入処理部１０へ入力セルと同時に出力する（ステップＡ３）。伝送品質挿入処理部１０は、加入者装置情報をもとに挿入処理用メモリ１１から伝送品質試験情報を読み出し（ステップＡ４）、該セルに対し伝送品質処理を実施し、セルを出力する（ステップＡ５）。
【００１１】
加入者試験装置５が持つ伝送品質抽出処理部１２がセルを受信した場合（ステップＢ１）、抽出処理用メモリ１３から伝送品質試験情報を抽出する（ステップＢ２）。伝送品質抽出処理部１２は、抽出した伝送品質試験情報を元に、該セルに対し伝送品質試験処理を実施し、セルを出力する（ステップＢ３）。
尚、伝送品質挿入処理部１０と伝送品質抽出処理部１２による伝送品質試験処理そのものは、従来の伝送品質試験処理と等価の動作である。
【００１２】
以上説明のように本発明は、局側装置と加入者側装置間でサポートしているコネクションの総帯域に関する伝送品質試験のみをサポートすることを条件に、局側装置では加入者装置に出力されるコネクション毎、加入者装置では入力セル全てに対し伝送品質試験を実施することにより、局側装置の伝送品質試験のハードウェア規模と加入者装置の伝送品質試験のハードウェア規模の削減をはかるものである。
【００１３】
【発明の効果】
以上説明のように本発明によれば、メモリを縮小でき周辺ハードウェア規模の削減がはかれる。すなわち、局側装置においてはＭ種の加入者装置単位に伝送品質試験を実施することで、メモリに格納すべきデータの種類を（Ｎ×Ｍ）種からＭ種に削減でき、加入者側装置においてはＮ種の入力コネクションをひとまとめに伝送品質試験を実施することで、Ｎ種必要であったメモリ格納情報を１種に減らすことができる。
また、サポートコネクションが増えた場合のメモリ容量の増加も抑制できる。それは、局側装置において加入者装置単位に伝送品質試験を実施しているため、サポートコネクションが増加してもメモリとは無縁になるためであり、また、加入者側装置においては、コネクションが増えても増えたコネクションも一緒にひとまとめにして伝送品質試験を実施するためである。
【図面の簡単な説明】
【図１】本発明の実施形態を示すブロック図である。
【図２】本発明の実施形態を示すブロック図である。
【図３】図１に示す実施形態の動作を説明するために引用したフローチャートである。
【図４】図２に示す実施形態の動作を説明するために引用したフローチャートである。
【図５】ＡＴＭ−ＰＯＮ通信系の接続構成を示すブロック図である。
【図６】従来の伝送品質測定における動作概念を示す図である。
【符号の説明】
４…局試験装置、５…加入者側装置、９…局側セル情報抽出部、１０…伝送品質挿入処理部、１１…挿入処理用メモリ、１２…伝送品質抽出処理部、１３…抽出処理用メモリ
【図１】
0003589079.tif 000002
【図２】
0003589079.tif 000003
【図３】
0003589079.tif 000004
【図４】
0003589079.tif 000005
【図５】
0003589079.tif 000006
【図６】
0003589079.tif 000007